(57)【特許請求の範囲】
【請求項１】
フィルムの鮮明度を測定する鮮明度測定装置であって、
点光源からの光を、光学櫛を介して前記フィルムに照射する照射手段と、
前記光学櫛及び前記フィルムを撮像する撮像手段と、
前記撮像手段により撮像した画像データの輝度に基づき前記フィルムの鮮明度を算出する算出手段と、を備え、
前記照射手段は、前記点光源からの光を、ビームエキスパンダを介して平行光に変換し、平行光を前記光学櫛を介して前記フィルムに照射する
ことを特徴とする鮮明度測定装置。
【請求項２】
前記光学櫛の透光部と遮光部の幅が０．１ｍｍであることを特徴とする請求項１に記載の鮮明度測定装置。
【請求項３】
前記撮像手段は、撮像器を備え、前記撮像器の焦点を前記光学櫛に合わせることを特徴とする請求項１又は請求項２に記載の鮮明度測定装置。
【請求項４】
更に、前記フィルムを搬送する搬送手段を備え、
前記撮像手段は、前記光学櫛及び前記搬送手段により搬送される前記フィルムを所定時間毎に撮像し、
前記算出手段は、前記撮像手段により撮像した所定時間毎の画像データに基づき前記フィルムの鮮明度を時系列的に算出することを特徴とする請求項１乃至請求項３のいずれかに記載の鮮明度測定装置。
【請求項５】
前記算出手段は、前記光学櫛の櫛方向と垂直方向の前記輝度の輝度変化に基づき前記フィルムの鮮明度を算出することを特徴とする請求項１乃至請求項４のいずれかに記載の鮮明度測定装置。
【請求項６】
前記輝度変化は、前記光学櫛の透光部と遮光部の境界部分の輝度変化であることを特徴とする請求項５に記載の鮮明度測定装置。
【請求項７】
前記算出手段は、更に、前記鮮明度を像鮮明度に換算する手段を有することを特徴とする請求項１乃至請求項６のいずれかに記載の鮮明度測定装置。
【請求項８】
フィルムの鮮明度を測定する鮮明度測定装置により実行される測定方法であって、
点光源からの光を、光学櫛を介して前記フィルムに照射する照射ステップと、
前記光学櫛及び前記フィルムを撮像する撮像ステップと、
前記撮像ステップにより撮像した画像データの輝度に基づき前記フィルムの鮮明度を算出する算出ステップと、
を含み、
前記照射ステップは、前記点光源からの光を、ビームエキスパンダを介して平行光に変換し、平行光を前記光学櫛を介して前記フィルムに照射する
ことを特徴とする測定方法。
【発明の詳細な説明】
【技術分野】
【０００１】
本発明は、フィルムの鮮明度を測定する技術に関する。特に、ヘーズが小さい反射防止フィルムの鮮明度を測定する技術に関する。
【背景技術】
【０００２】
液晶ディスプレイ向け反射防止フィルムとは、ディスプレイに周囲の照明などが写り込むことで画面の視認性が低下することを防止するためのフィルムであり、反射防止には大きく分けて２つの仕組みがある。
１つはＡＧ（Ａｎｔｉ−Ｇｌａｒｅ）と呼ばれる樹脂中に光を散乱する粒子を混ぜた膜を塗布する方式であり、もう1つはＡＲ（Ａｎｔｉ−Ｒｅｆｌｅｃｔｉｏｎ）と呼ばれる薄膜にて生じる光の干渉を利用する方式である。ＡＧフィルムの光の拡散度合いは、フィルムの曇り度を表すヘーズ（ＪＩＳ  Ｋ７１３６（非特許文献１）に定められており、ヘーズ＝散乱光／全光線透過光×１００（％）と定義される）と呼ばれる全透過光の内の透過散乱光の割合で管理する。
【０００３】
通常のＡＧフィルムはヘーズが４０〜５０％程度でありヘーズ計による管理が可能であるが、高精細ディスプレイ向けＡＧフィルムではヘーズが数％〜1％未満と低い値であるため、ヘーズ計での管理が難しく、代わりにＪＩＳ  Ｋ７３７４（非特許文献２）に定められている像鮮明度（写像性）と呼ばれる指標において主に管理されている。像鮮明度とは、フィルムを透過して見える物体の像、あるいは反射して見える物体の像がどの程度鮮明に歪みなく見えるかの度合いを評価するための指標である。
【０００４】
従来のＪＩＳ  Ｋ７３７４に定められている像鮮明度の測定原理は非特許文献２の図１に示されるように、試験片に平行光を透過させたときの透過光の光量を、移動する光学櫛を通して測定し、算出する。使用する光学櫛は非特許文献２の図１に示されるように、透過部分と遮光部分の比が１：１で、その幅が０．１２５ｍｍ、０．２５ｍｍ、０．５ｍｍ、１．０ｍｍ及び２．０ｍｍの５種類ある。光線軸上に櫛の透過部分があるときの光量をＭ、遮光部分があるときの光量をｍとすると、像鮮明度は、（Ｍ−ｍ）／（Ｍ＋ｍ）（％）で表される。評価の際には、各幅の櫛で算出した値の総和または特定の幅の櫛の値を必要に応じて選択する。
【０００５】
また、上記のＪＩＳ  Ｋ７３７４の測定原理に類似する手法を用いるオフライン測定機も存在する（例えば、特許文献１、特許文献２）。
特許文献１には、液晶表示素子に使用される光源、液晶セル及びカラーフィルターを光源、スリット及びガラス板で再現することで、拡散フィルムの光学特性をより正確に求めることが可能なフィルム評価装置等が開示されている。
特許文献２には、ワークにリングパターンを投影し演算することで、鏡面度と写像性を測定し、目視外観検査にて評価されていたワーク表面の綺麗さや質といった表面性状の定量的な評価を可能とする方法が開示されている。
【先行技術文献】
【特許文献】
【０００６】
【特許文献１】特開２０００−１９０６４
【特許文献２】特開２００７−１５５７０９
【非特許文献】
【０００７】
【非特許文献１】ＪＩＳ  Ｋ７１３６
【非特許文献２】ＪＩＳ  Ｋ７３７４
【発明の概要】
【発明が解決しようとする課題】
【０００８】
しかしながら、上記した方法はいずれも、ＪＩＳ  Ｋ７３７４の測定原理と同様に、光源から出た拡散光を光源スリットに通し、レンズによって平行光を得ている。このようにスリットとレンズを組み合わせた投光部は光量ロスが多いため光量が低いという問題がある。そのため十分な光量を得るために露光時間を長くする必要があり、大量の測定を必要とするインライン機として用いる場合には、高速な測定の実現が難しい。また、仮に測定スピードを向上させるため１回の測定時間を短くすると像鮮明度の測定を可能とする十分な光量が得られなくなる。さらに、上記した光学系は、光学櫛を左右に移動させる仕組みが必要となるため、装置が大掛かりになる。
【０００９】
本発明は上記課題に鑑みてなされたものであり、その目的は、光量ロスが少ない短い露光時間での測定が可能であり、光学櫛の移動機構を必要としない簡易な機構で構成される鮮明度測定装置等を提供することにある。
【課題を解決するための手段】
【００１０】
前述した課題を解決する第１の発明は、フィルムの鮮明度を測定する鮮明度測定装置であって、点光源からの光を、光学櫛を介して前記フィルムに照射する照射手段と、前記光学櫛及び前記フィルムを撮像する撮像手段と、前記撮像手段により撮像した画像データの輝度に基づき前記フィルムの鮮明度を算出する算出手段と、を備え、前記照射手段は、前記点光源からの光を、ビームエキスパンダを介して平行光に変換し、平行光を前記光学櫛を介して前記フィルムに照射することを特徴とする鮮明度測定装置である。
第１の発明によって、光量ロスが少ない短い露光時間での測定が可能であり、また、光学櫛の移動機構を必要としない簡易な機構で構成される鮮明度測定装置が提供される。特に、点光源からの光を、ビームエキスパンダを介して平行光に変換することで、平行度を保ちながら光学櫛及びフィルムの面全体が一様な光量で照らされるため、良好な照明条件の下で撮像を行うことができ、フィルムの鮮明度の算出精度を向上させることが可能となる。
【００１１】
前記照射手段は、更に、光学レンズを備え、前記光源からの光を、前記光学レンズを介して平行光に変換し、光学櫛を介して前記フィルムに照射することが望ましい。
これにより、光学櫛及びフィルムの面全体が一様な光量で照らされるため、良好な照明条件の下で撮像を行うことができ、フィルムの鮮明度の算出精度の向上に寄与する。
【００１２】
例えば、前記光学櫛の透光部及び遮光部の幅が０．１ｍｍである。
【００１３】
更に、前記フィルムを搬送する搬送手段を備え、前記撮像手段は、前記光学櫛及び前記搬送手段により搬送される前記フィルムを所定時間毎に撮像し、前記算出手段は、前記撮像手段により撮像した所定時間毎の画像データに基づき前記フィルムの鮮明度を時系列的に算出することが望ましい。
これにより、フィルムを搬送させながら鮮明度の測定を行う為、高速なインライン測定が実現される。
【００１４】
前記算出手段は、前記光学櫛の櫛方向と垂直方向の前記輝度の輝度変化に基づき前記フィルムの鮮明度を算出することが望ましい。
これにより、輝度断面の輝度の変化に基づいたフィルムの鮮明度を算出する手段が提供される。
【００１５】
前記輝度変化は、前記画像データの透光部と遮光部の境界部分の輝度変化であることが望ましい。
これにより、輝度断面の輝度の変化に基づいたより好適なフィルムの鮮明度を算出する手段が提供される。
【００１６】
前記鮮明度算出手段は、更に、前記鮮明度を像鮮明度に換算する手段を有することが望ましい。
これにより、フィルムの鮮明度をＪＩＳ規格の指標に換算して評価することができる。
【００１７】
前述した課題を解決するための第２の発明は、フィルムの鮮明度を測定する鮮明度測定装置により実行される測定方法であって、光源からの光を、光学櫛を介して前記フィルムに照射する照射ステップと、前記光学櫛及び前記フィルムを撮像する撮像ステップと、前記撮像ステップにより撮像した画像データの輝度に基づき前記フィルムの鮮明度を算出する算出ステップと、を含み、前記照射ステップは、前記点光源からの光を、ビームエキスパンダを介して平行光に変換し、平行光を前記光学櫛を介して前記フィルムに照射することを特徴とする測定方法である。
第２の発明によって、光量ロスが少ない短い露光時間での測定が可能であり、光学櫛の移動機構を必要としない簡易な機構で構成される鮮明度の測定方法が提供される。特に、点光源からの光を、ビームエキスパンダを介して平行光に変換することで、平行度を保ちながら光学櫛及びフィルムの面全体が一様な光量で照らされるため、良好な照明条件の下で撮像を行うことができ、フィルムの鮮明度の算出精度を向上させることが可能となる。
【発明の効果】
【００１８】
本発明によれば、光量ロスが少ない短い露光時間での測定が可能であり、光学櫛の移動機構を必要としない簡易な機構で構成される鮮明度測定装置等が提供される。
【図面の簡単な説明】
【００１９】
【図１】本発明の実施の形態に係る鮮明度評価装置１の構成を示す概念図である。
【図２】クロムパターン７を示す図
【図３】制御端末１５のハードウェア構成例を示す図
【図４】（ａ）曇り度が小さいパターン画像４１を示す図（ｂ）曇り度が大きいパターン画像４２を示す図
【図５】（ａ）パターン画像４１の輝度断面を示す図（ｂ）パターン画像４２の輝度断面を示す図
【図６】鮮明度測定装置１の動作を説明するフローチャート
【図７】鮮明度を算出する処理を説明するフローチャート
【図８】（ａ）輝度断面を示す図（ｂ）輝度変化を示す図（ｃ）輝度変化に閾値を設定する図
【図９】鮮明度の時系列結果を示す図
【図１０】鮮明度を像鮮明度に換算する処理を説明するフローチャート
【発明を実施するための形態】
【００２０】
以下、図面に基づいて、本発明の好適な実施形態を詳細に説明する。
【００２１】
[本発明の実施の形態]
図１は、本発明の実施形態に係る鮮明度測定装置１を示した概念図である。
【００２２】
鮮明度測定装置１は、光源に相当するスポット照明３、スポット照明３から照射される光を平行光に変換するビームエキスパンダ５、光学櫛に相当するクロムパターン７、測定対象であるフィルム９、フィルム９を搬送する搬送ローラ１０を備える搬送機構１１、クロムパターン７及びフィルム９を撮像するカメラ１３、制御端末１５等を備えており、搬送されるフィルム９を通してクロムパターン７を時々刻々撮像し、当該撮像した画像データに基づきフィルム９の鮮明度を測定するものである。
【００２３】
尚、開示内容を通じて、「鮮明度」と言った場合には、本実施形態の鮮明度測定装置１により測定される測定値のことを指し、「像鮮明度」と言った場合は、所謂ＪＩＳ  Ｋ７３７４で定められた測定原理に基づく指標のことを指す。また、「換算像鮮明度」と言った場合には、鮮明度測定装置１により測定した鮮明度をＪＩＳ  Ｋ７３７４で定められた像鮮明度へ換算した値のことを指す。
【００２４】
スポット照明３は、本発明の光源として機能し、例えばＬＥＤランプ等を用いることができる。図１に示すように、スポット照明３はビームエキスパンダ５の方向へ光を照射する。
【００２５】
ビームエキスパンダ５は、スポット照明３から照射された光を、図示しないビームエキスパンダ５内部の複数の光学レンズを介して光のビーム径を拡大しつつ平行光に変換し照射する。ビームエキスパンダ５から照射される平行光はクロムパターン７の面全体を均等に照らし、また、クロムパターン７を介して測定対象であるフィルム９を同時に照らす。
尚、ビーム径の拡大率は、クロムパターン７のサイズ等に応じて適宜定められる。
【００２６】
図２は、クロムパターン７を示す図である。クロムパターン７は、平板状のガラス板から形成され、透光部７ａ及び遮光部７ｂを有する。
クロムパターン７の透光部７ａ及び遮光部７ｂは、ガラス板にクロム膜を一定の幅で縞状にコーティングすることで形成される。クロム膜がコーティングされていないエリアが、ビームエキスパンダ５から照射される光を透過する透光部７ａとなり、クロム膜がコーティングされているエリアが、ビームエキスパンダ５から照射される光を遮光する遮光部７ｂとなる。
本実施形態においては、透光部７ａ及び遮光部７ｂは、ともに０．１ｍｍの幅で形成される。
【００２７】
フィルム９は、鮮明度を測定する測定対象であり、本実施形態においては、液晶ディスプレイ等に使用されるヘーズ（曇り度）が小さい（例えば数％〜１％未満）ウェブ状反射防止フィルムである。
【００２８】
搬送機構１１は、搬送ローラ１０を備えており、搬送ローラ１０によりフィルム９が搬送される。フィルム９は、クロムパターン７と所定の間隔を保ちながら図１に示す矢印方向に搬送される。また、搬送機構１１は制御端末１５と接続されており、制御端末１５の制御部２１からの搬送開始命令を受信すると、搬送機構１１は、フィルム９の搬送を開始し、また、制御部２１からの搬送停止命令を受信すると、フィルム９の搬送を停止する。
【００２９】
カメラ１３は、図示しない撮像レンズと、撮像レンズを透過した被写体像を２次元の画像信号に変換するＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−ｏｘｉｄｅ  Ｓｅｍｉｃｏｎｄｕｃｔｏｒ）等を備えるエリアセンサである。
カメラ１３は、クロムパターン７及び搬送されるフィルム９が同時に視野内に収まるように配置される。カメラ１３により撮像された画像は、制御端末１５に送信され、制御端末１５の記憶部２３に画像データとして記憶される。
また、カメラ１３は、フィルム９及びクロムパターン７を撮像する際、カメラ１３の焦点（ピント）は、クロムパターン７の方に合わせられる。これにより、クロムパターン７の白黒パターンの輝度値が精度よく測定できる。
【００３０】
制御端末１５は、フィルム９の搬送制御、及びカメラ１３の撮像制御を行うとともに、カメラ１３で撮像した画像データに基づきフィルム９の鮮明度を算出する。
【００３１】
図３は、制御端末１５のハードウェアの構成例を示す図である。制御端末１５は、例えば、制御部２１、記憶部２３、送受信部２５、入力部２７、表示部２９等が、バス３１を介して接続された一般的なコンピュータで実現される。
【００３２】
制御部２１は、ＣＰＵ、ＲＯＭ、ＲＡＭ等で構成される。ＣＰＵは、記憶部２３、ＲＯＭ、記録媒体等に格納されるプログラムをＲＡＭ上のワークメモリ領域に呼び出して実行することで、制御端末１５が行う全ての処理を行う。ＲＯＭは、不揮発性メモリであり、プログラムやデータ等を恒久的に保持している。ＲＡＭは、揮発性メモリであり、記憶部２３、ＲＯＭ等からロードしたプログラム、データ等を一時的に保持するとともに、制御部２１が各種処理を行う為に使用するワークエリアを備える。
【００３３】
記憶部２３は、ハードディスクドライブ等であり、制御部２１が実行するプログラム、プログラムの実行に必要なデータ等が格納される。
本実施形態においては、記憶部２３には、フィルム９の搬送制御プログラム、カメラ１３の撮像制御プログラム、鮮明度を算出する画像処理プログラム、及び
各プログラムを実行するために必要なパラメータ（フィルム９の搬送条件、カメラ１３の撮像条件など）が記憶されている。
そして、記憶部２３に格納された上記プログラムは必要に応じて読み出され、ＲＡＭに移されて実行される。
【００３４】
送受信部２５は、所定の形式に従った情報の送受信を行うインターフェースとして機能する。本実施形態の場合、制御端末１５は、送受信部２５を介してカメラ１３及び搬送機構１１と有線又は無線接続されており、制御命令、データ信号等の授受を媒介する。
【００３５】
入力部２７は、キーボード、タッチパネル等の入力装置を有する。測定者は、入力部２７を介して、測定開始及び測定停止等の操作（指示）を行う。
【００３６】
表示部２９は、液晶パネル等のディスプレイ装置を有する。表示部２９には、カメラ１３のモニタリング画面、撮像画像、鮮明度の測定結果等が表示される。
【００３７】
バス３１は、各部間の制御信号、データ信号等の授受を媒介する経路である。
【００３８】
以上が本実施形態における鮮明度測定装置１の構成である。本実施形態における鮮明度測定装置１は、従来のように光源スリット、及び光学櫛の移動機構を必要とせず実現できる。
【００３９】
次に、図４を参照して、鮮明度測定装置１のカメラ１３の測定画像の一例を示す。図４（ａ）は曇り度が比較的小さいフィルムを通してクロムパターン７を撮像した画像（以下、パターン画像４１）を示し、図４（ｂ）は曇り度が比較的大きいフィルムを通してクロムパターン７を撮像した画像（以下、パターン画像４２）を示す。
【００４０】
図４（ａ）（ｂ）に示すように、パターン画像４１、パターン画像４２ともにスポット照明３からの光を透過する透光部４１ａ、４２ａが明るく表示され、光を透過しない遮光部４１ｂ、４２ｂは暗く表示される。
一方、曇り度の小さいパターン画像４１は、撮像画像全体が鮮明（シャープ）に表示されるのに対し、曇り度の大きいパターン画像４２は、撮像画像全体がぼやけて表示されているのが分かる。
【００４１】
図５は、各パターン画像の画像水平方向の輝度断面の一部を示した図である。図５（ａ）は図４（ａ）のパターン画像４１の輝度断面を示し、図５（ｂ）は図４（ｂ）のパターン画像４２の輝度断面を示す。フィルムの曇り度によって、輝度の変化の仕方が異なる。例えば、図５（ａ）に示すように、曇り度の小さいパターン画像４１は、光を透過する透光部４１ａと光を遮光する遮光部４１ｂとの境界部分（輝度の白黒パターンの境界部分）で輝度が大きく変化する。一方、図５（ｂ）に示すように、曇り度の大きいパターン画像４２は、透過部４２ａと遮光部４２ｂとの境界部分（輝度の白黒パターンの境界部分）で輝度が緩やかに変化する。
後述するように、フィルムの鮮明度は、フィルムの曇り度に応じて変化の態様（大小）が異なる透過部と遮光部との境界部分の輝度に着目して算出される。
【００４２】
次に、図６のフローチャートを参照して、鮮明度測定装置１の測定動作フローを説明する。
測定を開始する前に、予め、スポット照明３及びビームエキスパンダ５の電源が投入されており、スポット照明３から照射された光はビームエキスパンダ５で平行光に変換され、当該平行光がクロムパターン７及びフィルム９に照射されているものとする。
【００４３】
まず、制御端末１５の制御部２１は、入力部２７を介して、測定者の測定開始の操作（指示）を受け付ける（ステップ６０１）。
【００４４】
そして、制御端末１５の制御部２１は、ステップ６０１において測定者の測定開始の操作（指示）を受付けると、フィルム９の搬送を開始する（ステップ６０２）。具体的には、制御端末１５の制御部２１が、搬送機構１１に対して搬送開始命令を送信し、当該搬送開始命令を受信した搬送機構１１が、搬送ローラ１０を回転させながらフィルム９を所定速度で搬送する。あるいは、測定開始の操作とフィルム９の搬送機構１１とは独立して動作してもよい。
【００４５】
次に、制御端末１５の制御部２１は、カメラ１３の撮像回数ｎをｎ＝０に初期化する（ステップ６０３）。
【００４６】
そして、制御端末１５の制御部２１は、撮像回数ｎをインクリメント（ｎ←ｎ＋１）し（ステップ６０４）、ｎ回目（現在の撮像回数に相当）の撮像を実行する（ステップ６０５）。具体的には、制御端末１５の制御部２１が、カメラ１３に対して撮像実行命令を送信し、当該撮像実行命令を受信したカメラ１３がフィルム９及びクロムパターン７を撮像する。
【００４７】
制御端末１５の制御部２１は、ステップ６０５においてｎ回目に撮像した画像データを記憶部２３に保存する（ステップ６０６）。具体的には、カメラ１３が撮像した画像データは制御端末１５に送信され、制御端末１５の制御部２１は、送受信部２５を介して、当該画像データを記憶部２３に保存する。
【００４８】
制御端末１５の制御部２１は、ステップ６０６において記憶部２３に記憶した画像データ（ｎ回目に撮像した画像データ）を読込み、当該画像データに基づきフィルム９の鮮明度τ（ｎ）を算出する（ステップ６０７）。
【００４９】
ここで、図７のフローチャート及び図８を参照し、上記ステップ６０７において実行される鮮明度の算出処理を説明する。
本実施形態では、図４及び図５に示したように撮像画像の透光部と遮光部の境界部分（輝度の白黒パターンの境界部分）の輝度変化が、フィルム９の曇り度と高い関連性を有することから、当該境界部分の輝度変化に基づきフィルム９の鮮明度を算出する。
【００５０】
制御部２１は、まず、撮像した画像データに基づき当該画像データの水平方向の輝度断面を算出する（ステップ７０１）。
図８（ａ）は、算出された所定の輝度断面を示す図である。以降、図８（ａ）の輝度断面をｆ（ｘ）と定義し、当該輝度断面ｆ（ｘ）から鮮明度を算出する手順を説明する。ここで、ｘは水平方向ｘ番目の画素番号を表し、ｆ（ｘ）はｘ番目の画素の輝度値を表す。
【００５１】
制御部２１は、次に、輝度断面ｆ（ｘ）から輝度変化｜ｆ’（ｘ）｜を算出する（ステップ７０２）。輝度変化｜ｆ’（ｘ）｜は、例えば、注目画素ｘの両隣の画素ｘ−１、ｘ＋１の輝度値の差（変化）を用いて算出できる。つまり、水平方向ｘ番目の輝度変化｜ｆ’(ｘ)｜は、式（１）のように算出される。
【００５２】
【数１】
0006402500.tif 000002
【００５３】
図８（ｂ）は、全てのｘにおいて算出された輝度変化｜ｆ’（ｘ）｜を示す図である。
【００５４】
そして、制御部２１は、ステップ７０２において算出した輝度変化｜ｆ’（ｘ）｜に基づき鮮明度τを算出する。鮮明度τは、式（２）に示すように「透光部と遮光部の境界部分の輝度変化の和の平均値」として算出される（ステップ７０３）。
【００５５】
【数２】
0006402500.tif 000003
【００５６】
αは、図８（ｃ）に示すように、輝度変化｜ｆ’（ｘ）｜に設定される閾値であり、鮮明度τは、透光部と遮光部の各境界での閾値αを超える輝度変化｜ｆ’（ｘ）｜（図８（ｃ）の実線部分）の和を平均した値である。閾値αを設定することで輝度変化｜ｆ’（ｘ）｜の小さい輝度断面ｆ（ｘ）の極小、極大付近（つまり、輝度断面ｆ（ｘ）の透光部及び遮光部付近）を計算から除外し、これにより「透光部と遮光部の境界部分の輝度変化」に着目し鮮明度τが算出される。
尚、閾値αの値は、輝度断面ｆ（ｘ）の極小、極大付近を計算から除外できる適当な値でよく、例えば、本実施形態ではα＝１とした。
以上のような処理でフィルム９の鮮明度が算出される。
【００５７】
図６のフローチャートの説明に戻る。制御端末１５の制御部２１は、今まで算出した１〜ｎ回の鮮明度の時系列結果τ（１），τ（２），・・・，τ（ｎ）を表示部２９に表示する（ステップ６０８）。
例えば図９に示すように、表示部２９にフィルム９の鮮明度の時系列結果が表示され、測定者は、測定結果を目視で確認することができる。
【００５８】
ステップ６０９において、制御端末１５の制御部２１は、入力部２７を介して、ユーザからの測定終了の操作（指示）の有無の判定を行い、測定終了の操作（指示）があれば（ステップ６０９の「Ｙｅｓ」）、ステップ６１０に移行する。一方、測定終了の操作（指示）が無ければ（ステップ６０９の「Ｎｏ」）、ステップ６０４に移行し、カメラの撮像を継続する。ステップ６０４〜ステップ６０８までの処理は、ステップ６０９において「Ｙｅｓ」と判定されるまで、繰り返し実行される。
【００５９】
制御端末１５の制御部２１は、入力部２７を介して、ステップ６０９においてユーザからの測定終了の操作（指示）を受付けると（ステップ６０９の「Ｎｏ」）、フィルム９の搬送及びカメラ１３の撮像を停止する（ステップ６１０）。具体的には、制御端末１５の制御部２１が、搬送機構１１に対して搬送停止命令を送信し、当該搬送停止命令を受信した搬送機構１１は、搬送ローラ１０の回転を停止させ、フィルム９の搬送を停止する。同様に、制御端末１５の制御部２１が、カメラ１３に対して撮像停止命令を送信し、当該撮像停止命令を受信したカメラ１３は撮像を停止する。測定とフィルム９の搬送機構１１とが独立で動作している場合は、カメラ１３の撮像のみが停止する。
【００６０】
尚、ユーザからの測定終了の操作（指示）に依らず、自動的にフィルム９の搬送の停止、及びカメラ７の撮像の停止を行うように構成してもよい。例えば、ステップ６０７において制御部２１により算出される鮮明度が予め設定した許容値を下回った場合、若しくは、鮮明度が所定回数連続して当該許容値を下回った場合（つまり、何らかの品質上のチェックを要するような場合）、制御端末１５の制御部２１は、搬送停止命令及び撮像停止命令を、搬送機構及びカメラ１３に送信し、測定を強制的に終了するようにしてもよい。
【００６１】
以上説明した本実施形態に係る鮮明度測定装置１の有利な効果を説明する。
【００６２】
第１には、従来のように光学系にスリットを必要としないため、光量ロスが少なく短い露光時間での測定が可能となる。
第２には、従来のように光学櫛の移動機構を必要としないため簡易な構成で鮮明度の測定を実現できる。
第３には、本実施形態においてはウェブ状フィルムを搬送しながら時々刻々測定を行う為、高速なインライン測定が実現できる。
【００６３】
（像鮮明度換算処理）
尚、前述した鮮明度の算出処理（図７のフローチャート参照）は、更に、鮮明度τをＪＩＳ  Ｋ７３７４に定める像鮮明度へ換算する処理を含んでもよい。
図１０は、当該処理を含んだフローチャートを示す。
【００６４】
図１０のステップ１００１〜１００３は、図７のステップ７０１〜７０３と同様である。つまり、制御部２１は、画像データから輝度断面を算出し（ステップ１００１）、輝度断面から輝度変化を算出し（ステップ１００２）、透光部と遮光部の境界部分の輝度変化の和の平均値を鮮明度として算出する（ステップ１００３）。
但し、ステップ１００３において算出した鮮明度を像鮮明度へ換算する処理が加わる（ステップ１００４）。
具体的には、制御部２１は、記憶部２３に予め格納されている所定の関数ｇを読込み、鮮明度算出処理により算出した鮮明度τをＪＩＳ  Ｋ７３７４に定める像鮮明度へ換算した換算像鮮明度τ’を、式（３）のように算出する。
【００６５】
【数３】
0006402500.tif 000004
【００６６】
ここで、所定の関数ｇについて説明しておく。所定の関数ｇは、例えば、次の手順で予め作成され、制御端末１５の記憶部２３に格納されている。
【００６７】
（１）曇り度が小さいものから大きいものまで、Ｎパターンのフィルムを用意する。
【００６８】
（２）上記（１）の全フィルムに対して、本実施形態の鮮明度測定装置１により「鮮明度」τ１,τ２,・・・,τＮを測定する。
【００６９】
（３）上記（１）の全フィルムに対して、ＪＩＳ  Ｋ７３７４に定められた測定方法により「像鮮明度」τ’１,τ’２,・・・，τ’Ｎを測定する。
【００７０】
（４）上記（２）及び（３）で算出した「鮮明度」と「像鮮明度」の組み合わせ（τ１  τ’１）,（τ２  τ’２）,・・・,（τＮ  τ’Ｎ）を２次元データ系列として２次元グラフ上にプロットする。
【００７１】
（５）上記（４）でプロットしたデータにフィットする最適な関数を回帰分析等により算出し、当該関数をｇとする。
【００７２】
（６）上記（５）により算出した関数ｇを記憶部２３に格納する。
【００７３】
上記手順により算出された所定の関数ｇを用いて、制御部２１は、鮮明度τを換算鮮明度τ’へ変換する。これにより、本実施形態の鮮明度測定装置１で測定した鮮明度τをＪＩＳ  Ｋ７３７４の像鮮明度へ換算して評価することが可能となる。
尚、鮮明度を像鮮明度に変換する所定の関数ｇは一次関数で十分であった（高次の関数を用いてフィッティングする必要がなかった）。換言すると、本実施形態における鮮明度測定装置１により測定算出される鮮明度は、ＪＩＳ  Ｋ７３７４の像鮮明度と高い親和性を有する。
【００７４】
以上、添付図面を参照しながら、本発明に係る鮮明度測定装置１等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００７５】
１  ・・・・・・鮮明度測定装置
３  ・・・・・・スポット照明
５  ・・・・・・ビームエキスパンダ
７  ・・・・・・クロムパターン
９  ・・・・・・フィルム
１０・・・・・・搬送ローラ
１１・・・・・・搬送機構
１３・・・・・・カメラ
１５・・・・・・制御端末
２１・・・・・・制御部
４１、４２・・・パターン画像
【図１】
0006402500.tif 000005
【図２】
0006402500.tif 000006
【図３】
0006402500.tif 000007
【図４】
0006402500.tif 000008
【図５】
0006402500.tif 000009
【図６】
0006402500.tif 000010
【図７】
0006402500.tif 000011
【図８】
0006402500.tif 000012
【図９】
0006402500.tif 000013
【図１０】
0006402500.tif 000014